(57)【要約】【課題】運転手の視点を移動することなく空調の設定値を報知可能な空調設定値出力装置を提供する。【解決手段】空調設定値出力装置１００は、操作スイッチよりなる操作部２と、４ｃｈのスピーカー３ＦＬ、３ＦＲ、３ＲＬ、３ＲＲと、各入力からの音声を重畳するとともに音像を形成してスピーカー３ＦＬ、３ＦＲ、３ＲＬ、３ＲＲに出力するサウンドプロセッサ４と、操作部２の入力に基づいて空調システム６を制御し、制御内容に関連づけられた音声を操作部２を介してサウンドプロセッサ４へ出力する制御部５と、コンプレッサやコンデンサを有し制御部５の制御の下で車両１０の内気温を制御可能な空調システム６と、ＣＤやＭＰ３、ラジオ等の音声情報を処理可能なオーディオシステム７とを有する。【選択図】図２
2008037243.tif 000002
【特許請求の範囲】
【請求項１】
空調条件を設定値として設定可能な操作部と、
前記操作部の前記設定値に基づいて音像の位置を決定する制御部と、
前記音像の位置に基づいて音声を出力する複数のスピーカーとを有することを特徴とする空調設定値出力装置。
【請求項２】
前記制御部は、前記制御部とともに前記操作部および前記スピーカーが搭載される車両の運転席に対する音像位置を決定することを特徴とする請求項１に記載の空調設定値出力装置。
【請求項３】
前記制御部は、前記設定値としての温度に基づいて音像の方向を決定するとともに、前記設定値としての風量に基づいて音像の奥行きを決定することを特徴とする請求項１に記載の空調設定値出力装置。
【請求項４】
前記スピーカーは、前記音声として温度情報および風量情報を出力することを特徴とする請求項１に記載の空調設定値出力装置。
【発明の詳細な説明】
【技術分野】
【０００１】
本発明は車両、航空機、居室等の空調空間における空調の設定値を空調条件の設定者に報知する空調設定値出力装置に関し、特に設定者の視点を移動することなく空調の設定値を報知可能な空調設定値出力装置に関する。
【背景技術】
【０００２】
従来の技術として、車両に設置された空調の設定値と車両の内気温との差に基づいて液晶パネルの表示色を変える空調設定値出力装置が知られている（例えば、特許文献１）。
【０００３】
この空調設定値出力装置によると、操作部によって設定された温度設定値と、車両の内気温とを比較し、その差および大小関係に基づいて温度設定値を表示する液晶パネルの表示色を変えるため、例えば冷房を使用している状態であれば、運転手は液晶パネルの色を確認することで冷房不足および冷房過多を把握することができる。
【特許文献１】特開２００１−１９１７８４号公報
【発明の開示】
【発明が解決しようとする課題】
【０００４】
しかし、従来の空調設定値出力装置によると、温度設定値と車両の内気温との差の確認は、液晶パネルの色を視認する必要があり、温度設定値は液晶パネルを視認する必要があるので、視点を液晶パネルへ移動させなければならないという問題がある。
【０００５】
従って、本発明の目的は、空調条件設定者の視点を移動することなく空調の設定値を報知可能な空調設定値出力装置を提供することにある。
【課題を解決するための手段】
【０００６】
本発明は上記目的を達成するため空調条件を設定値として設定可能な操作部と、前記操作部の前記設定値に基づいて音像の位置を決定する制御部と、前記音像の位置に基づいて音声を出力する複数のスピーカーとを有することを特徴とする空調設定値出力装置を提供する。
【０００７】
このような構成によれば、音声により直感的に設定値を確認可能となるため、視点の移動が必要なくなる。
【発明の効果】
【０００８】
本発明によれば、運転動作を阻害することなく空調の設定値を報知可能となる。
【発明を実施するための最良の形態】
【０００９】
以下に、本発明の空調設定値出力装置の実施の形態を図面を参考にして詳細に説明する。
【００１０】
〔実施の形態〕
（構成）
図１は、本発明の実施の形態に関する車両の構成を表す概略図である。
【００１１】
車両１０は、車両１０を操作する運転手が座る運転席１と、空調を操作するための図示しない操作スイッチを有する操作部２および同じ位置に設置された図示しないオーディオシステムの操作スイッチ群と、オーディオシステム等の各機器からの音声を出力するスピーカー３ＦＬ、３ＦＲ、３ＲＬ、３ＲＲとを有する。
【００１２】
スピーカー３ＦＬ、３ＦＲ、３ＲＬ、３ＲＲは、運転席１に対してそれぞれ別方向に位置し、４ｃｈそれぞれ独立した音声を出力して、それらの合成により音像を出力する。
【００１３】
なお、ここで音像とは、空調条件設定者即ち運転者に対して、音を再生する際に単純に音声を発するのみならず、方向と距離をもって音の発生位置を再現する音響効果である。
【００１４】
（空調設定値出力装置の構成）
図２は、本発明の実施の形態に関する空調設定値出力装置の概略構成図である。
【００１５】
空調設定値出力装置１００は、操作スイッチよりなる操作部２と、４ｃｈのスピーカー３ＦＬ、３ＦＲ、３ＲＬ、３ＲＲと、各入力からの音声を重畳するとともに音像を形成してスピーカー３ＦＬ、３ＦＲ、３ＲＬ、３ＲＲに出力するサウンドプロセッサ４と、操作部２の入力に基づいて空調システム６を制御し、制御内容に関連づけられた音声を操作部２を介してサウンドプロセッサ４へ出力する制御部５と、コンプレッサやコンデンサを有し制御部５の制御の下で車両１０の内気温を制御可能な空調システム６と、ＣＤやＭＰ３、ラジオ等の音声情報を処理可能なオーディオシステム７とを有する。
【００１６】
（動作）
以下に、本発明の実施の形態における空調設定値出力装置の動作を図１から図３を参照しつつ説明する。
【００１７】
空調を操作する場合、操作部２を操作することにより、操作内容は制御部５へ出力され、制御部５は、操作内容に従って空調システム６を制御する。
【００１８】
制御部５は、空調システム６を制御するとともに、操作内容に関連づけられた音声情報、例えば温度設定値が２３℃で風量設定値が２の場合は「２３℃、風量２です」といった音声情報を操作部２を介してサウンドプロセッサ４へ出力する。その際、音声情報に音像の位置に関する情報を付随させて出力する。
【００１９】
サウンドプロセッサ４は、操作部２から音声情報を受信すると、その音声情報を再生する。その際、音声情報に付随している音像の位置に関する情報を反映して、スピーカー３ＦＬ、３ＦＲ、３ＲＬ、３ＲＲより出力する。オーディオシステム７の音声情報を再生している場合はその音声出力を小にして再生する。
【００２０】
図３は、本発明の実施の形態に関する空調設定値出力装置の動作を示す概略図である。
【００２１】
スピーカー３ＦＬ、３ＦＲ、３ＲＬ、３ＲＲより出力される音声は、温度設定値に基づいて音像の方向が定められており、風量設定値に基づいて音像の奥行きが定められている。
【００２２】
温度設定値が２０℃、風量設定値が２の状態においては、運転席１では図３のＡに示す位置より音声が鳴っているように聞こえるように、音像の位置を設定する。
【００２３】
次に、温度設定値を２１℃、２２℃、２３℃と順に変化した後、風量設定値を３に変化する場合は、図３に示すＢ、Ｃ、Ｄの順に音像の位置が２０°ずつ時計方向に変化した後、ＤからＥへと音像の位置が近づく。
【００２４】
（実施の形態の効果）
上記した実施の形態によると、温度設定値および風量設定値を音像の位置に関連づけて音声情報として出力するため、目視による設定値確認が不要となり、また直感的な設定値の報知が可能となる。
【００２５】
なお、スピーカーは、２ｃｈでもよく、２ｃｈの場合は運転席１に対して左右にスピーカーを配置し、前方を中心として１８０°広がる音像を出力する。
【００２６】
なお、設定値を報知する音声情報は、単音からなるフィードバック音でもよい。
【００２７】
なお、報知する内容は設定値でなくとも、例えば内気温と設定値との差分値等の所定の値を有するもの、または複数の種類を有する項目等であればその順序を定義して音像を決定でき、その内容を限定しない。
【００２８】
なお、本実施の形態においては、車両に搭載される空調設定値出力装置について説明したが、車両に限定されず、航空機、居室等の空調空間を有するものであれば同様の効果が得られる。
【図面の簡単な説明】
【００２９】
【図１】本発明の実施の形態に関する車両の構成を表す概略図である。
【図２】本発明の実施の形態に関する空調設定値出力装置の概略構成図である。
【図３】本発明の実施の形態に関する空調設定値出力装置の動作を示す概略図である。
【符号の説明】
【００３０】
１     運転席
２     操作部
３ＦＬ スピーカー
３ＦＲ スピーカー
３ＲＬ スピーカー
３ＲＲ スピーカー
４     サウンドプロセッサ
５     制御部
６     空調システム
７     オーディオシステム
１０   車両
１００ 空調設定値出力装置
【図１】
2008037243.tif 000003
【図２】
2008037243.tif 000004
【図３】
2008037243.tif 000005